(57)【特許請求の範囲】
【請求項１】
ボンディングワイヤを巻き回したスプールを、相互に嵌合する容器本体と蓋体からなるケース本体の内部に収容したボンディングワイヤ用スプールケースであって、
前記ケース本体は、内部に収容したスプールをその中心軸がほぼ水平になる横向き状態で保持可能な定置手段を下面側に備えると共に、
前記容器本体は、前記蓋体と嵌合する外周隆の内側面に、ケース本体内に収容されるスプールのフランジ外周縁に弾性係合する係合部を複数設けて、該容器本体と一体に各係合部が弾性変形してスプールを着脱自在に保持するよう形成し、且つ前記外周隆に、容器本体に保持されたスプールにおけるボンディングワイヤのテープ止め端部を露呈させる凹部を形成したことを特徴とするボンディングワイヤ用スプールケース。
【請求項２】
上記凹部は、上記定置手段に対向させてケース本体の上面側に設けたことを特徴とする請求項１記載のスプールケース。
【請求項３】
上記外周隆の内側面に、スプールホルダの突出部に対応する逃げ用凹部を設けたことを特徴とする請求項１又は２記載のスプールケース。
【請求項４】
上記容器本体における外周隆で囲まれた部分にケース本体外側へ突出する把持部を形成すると共に、該把持部の表面に滑り止め部を形成したことを特徴とする請求項１〜３のいずれか１項に記載のスプールケース。
【請求項５】
ボンディングワイヤを巻き回したスプールを、相互に嵌合する容器本体と蓋体からなるケース本体の内部に収容したボンディングワイヤ用スプールケースであって、
前記容器本体は、前記蓋体と嵌合する外周隆の内側面に、ケース本体内に収容されるスプールのフランジ外周縁に弾性係合する係合部を複数設けて、該容器本体と一体に各係合部が弾性変形してスプールを着脱自在に保持するよう形成する一方、前記蓋体にはスプールの胴部内側に緩嵌する膨出状の嵌合隆を設け、該嵌合隆の突端部分を蓋体の開口縁より突出させたことを特徴とするボンディングワイヤ用スプールケース。
【請求項６】
上記容器本体における外周隆で囲まれた部分に、スプールホルダの突出部に対応する逃げ用の孔を形成すると共に、該孔を上記嵌合隆で閉塞可能に形成したことを特徴とする請求項５記載のスプールケース。
【発明の詳細な説明】
【０００１】
【発明の属する技術分野】
本発明は半導体用ボンディングワイヤのスプールケースに関し、詳しくは、スプール胴部に巻き回しられたボンディングワイヤに触れることなくスプールを取り扱うことができるスプールケースに関する。
【０００２】
【従来の技術】
従来から、半導体装置の組み立てに用いるボンディングワイヤを巻き回した筒状のスプールを収容するためのケースとして、各種構造のものが知られている。
例えば実公昭５８−４１１８８号には、スプールを嵌合せしめる上向膨出状の嵌合隆を一体に備えた容器本体と、該容器本体の外周隆に嵌合する蓋体からなり、該蓋体に前記嵌合隆と対応してスプールと嵌合する押え凹部を形成し、収容されるスプールを前記嵌合隆と蓋体で定置状に押えてがたつきを防止するようにしたスプールケースが開示されている。
【０００３】
ところで、この種スプールケースに収容されたスプールは、半導体装置の組み立て現場等においてケースから取り出してワイヤボンダのスプールホルダへ装着されるが、従来においてはスプールのフランジを手で持って取り扱っており、ワイヤ表面に手が触れてしまう等によりワイヤ損傷が生じる虞れがあった。
【０００４】
このような不具合を解消するべく、特開平７−８６３２６号公報には、相互に嵌合する容器と蓋からなるスプールケースにおいて、容器及び蓋のうち少なくとも一方に、スプールを保持すると共にスプールに直接手を触れることなく着脱できるスプール保持部を備えたボンディングワイヤ用スプールケースが開示されている。
【０００５】
【発明が解決しようとする課題】
しかし乍ら、前記ボンディングワイヤ用スプールケースの技術内容についてより詳細に検討すると、以下のような問題点が無いとはいえなかった。
すなわち、該スプールケースのスプール保持部は、発明の詳細な説明の記載からみて、スプールの胴部内壁に接触する嵌合隆の内側に、該嵌合隆を弾性変形させるための操作部となる凹部を備え、該凹部に差し込んだ指を外側へ開く、若しくは内側へ閉じることで前記嵌合隆を弾性変形させるをもって、前記胴部内壁に対する嵌合隆の接触圧を調整する構成のものである。
これに対し、上記スプールはワイヤボンダのスプールホルダに外側から嵌め込むようにして装着されるようになるが、スプールホルダの長さはボンダによって様々であり、また近年においては、スプールに巻き回すワイヤ長さの長尺化に伴うスプール総重量の増加に対応するべく、スプール掛止手段を備えたスプールホルダも各種提供され、該掛止手段はスプールの胴部内壁に接触するようスプールホルダに付設される。
従って、スプールの胴部内壁に嵌合隆を接触させてスプールを保持するようにした上記ボンディングワイヤ用スプールケースを用いた場合、前記保持部がスプールホルダ先端部やスプール掛止手段に当たって、スプールの装着に支障を来すケースもあった。
また上記スプールケースは前述の通り、凹部に差し込んだ指の開閉操作でスプール保持部の接触圧を調整するようになっており、作業者の不注意等により指の操作を間違えてしまうと前記接触が解除され、スプールが脱落する虞れも無いとはいえない。
【０００６】
さらに従来のスプールケースは、容器本体が下に、蓋体が上に位置する状態で作業テーブル上や運搬ケース内等に置くよう形成され、この場合、スプール中心軸がほぼ垂直状態になり、巻き回されたワイヤの巻き崩れの問題が生じる。
【０００７】
本発明は上述した従来事情に鑑みてなされたもので、その目的とする処は、ケース本体内に収容するスプールを該スプールに手を触れることなく着脱自在に保持できると共に、ボンダに対するスプールの脱着をスプールホルダの長短やスプール掛止手段の有無等に関係なく行え、且つスプール保持の信頼性が高くてスプール保持状態を容易に維持することができ、さらに、作業テーブル上や運搬ケース内に置く場合等の取り扱いにも優れた、新規なボンディングワイヤ用スプールケースを提供することにある。
【０００８】
【課題を解決するための手段】
上述の目的を達成するために本発明は、ボンディングワイヤを巻き回したスプールを、相互に嵌合する容器本体と蓋体からなるケース本体の内部に収容したボンディングワイヤ用スプールケースであって、前記ケース本体は、内部に収容したスプールをその中心軸がほぼ水平になる横向き状態で保持可能な定置手段を下面側に備えると共に、前記容器本体は、前記蓋体と嵌合する外周隆の内側面に、ケース本体内に収容されるスプールのフランジ外周縁に弾性係合する係合部を複数設けて、該容器本体と一体に各係合部が弾性変形してスプールを着脱自在に保持するよう形成し、且つ前記外周隆に、容器本体に保持されたスプールにおけるボンディングワイヤのテープ止め端部を露呈させる凹部を形成したことを要旨とする。
【０００９】
このように構成した場合、容器本体を弾性変形させればこれと一体に各係合部が弾性変形してスプールのフランジ外周縁に係脱自在に係合し、スプールは容器本体に着脱自在に保持されるので、スプールに直接手を触れることなく該スプールを取り扱うことができる。該保持状態は、係合部を変形させてフランジから外さない限り解除されない。また該保持状態は、係合部をフランジ外周縁に係合させて保持するもので、スプール胴部に巻き回したワイヤやスプール胴部内側に対する干渉が生じないことはいうまでもない。
また、上記定置手段が下側になるようにケース本体を置けば、内部に収容されたスプールはその中心軸がほぼ水平になるように保持され、スプール胴部に巻き回されたワイヤには、ワイヤ自身の荷重、取り扱いや運搬の際等の振動，衝撃等がワイヤ全長にわたってほぼ均等に分散される構造となり、ワイヤの巻き崩れを効果的に防止することができるため好ましい。
さらに、容器本体の外周隆に凹部を設け、容器本体に保持されたスプールのボンディングワイヤのテープ止め端部を前記凹部の範囲内に位置せしめて露呈させることで、スプールを容器本体に保持させた状態で、ピンセット等の道具を用いて前記テープ止め端部のテープを剥がすことができる。
【００１０】
上記テープ止め端部を露呈させるための凹部は、上記定置手段に対向させてケース本体の上面側に設けることが好ましい。
この場合、上記定置手段が下側になるように容器本体を置けば、該容器本体に保持されたスプールはその中心軸がほぼ水平になるように保持され、且つテープ止め端部は容器本体の上側に露呈するので、テープ剥がし作業が右勝手、左勝手の双方に対応可能となる。
【００１１】
上記外周隆の内側面に、スプールホルダの突出部に対応する逃げ用凹部を設けると良い。
この場合、容器本体に保持されたスプールをスプールホルダに装着する際の取り扱いが容易になり、汎用性が向上するため好ましい。
【００１２】
上記容器本体における外周隆で囲まれた部分にケース本体外側へ突出する把持部を形成すると良い。この場合、容器本体の取り扱いは把持部を把持して行うことで、係合部の不用意な変形を防止して、スプールの脱落防止をより確実になすことができる。
また前記把持部の表面に滑り止め部を形成することで、その把持を確実ならしめることができ、好ましい。滑り止め部は、把持部表面に複数の凸部又は凹部を適宜間隔ごとに形成したり、把持部表面に梨地処理を施して滑り止め処理を施す等により形成することができる。
【００１３】
また本発明は、ボンディングワイヤを巻き回したスプールを、相互に嵌合する容器本体と蓋体からなるケース本体の内部に収容したボンディングワイヤ用スプールケースであって、前記容器本体は、前記蓋体と嵌合する外周隆の内側面に、ケース本体内に収容されるスプールのフランジ外周縁に弾性係合する係合部を複数設けて、該容器本体と一体に各係合部が弾性変形してスプールを着脱自在に保持するよう形成する一方、前記蓋体にはスプールの胴部内側に緩嵌する膨出状の嵌合隆を設け、該嵌合隆の突端部分を蓋体の開口縁より突出させたことを要旨とする。
【００１４】
このように構成した場合、容器本体と一体に各係合部が弾性変形してスプールのフランジ外周縁に係脱自在に係合し、スプールは容器本体に着脱自在に保持されるので、スプールに直接手を触れることなく該スプールを取り扱うことができる。該保持状態は、係合部を変形させてフランジから外さない限り解除されない。また該保持状態は、係合部をフランジ外周縁に係合させて保持するもので、スプール胴部に巻き回したワイヤやスプール胴部内側に対する干渉が生じないことはいうまでもない。
また、容器本体と蓋体を相互に嵌合させた状態において、スプールは、上記係合部によって容器本体に保持されると同時に、上記嵌合隆により蓋体に保持され、ケース本体内におけるスプールの保持がより確実になる。
さらに、上記嵌合隆の突端を蓋体の開口縁より突出させたので、容器本体と蓋体を相互に嵌合する際に、容器本体に保持されたスプールに巻き回されたボンディングワイヤが蓋体の開口縁に触れることのないよう、前記嵌合隆がガイドとなってスプールを蓋体中心方向へ導く。
【００１５】
上記容器本体における外周隆で囲まれた部分に、スプールホルダの突出部に対応する逃げ用の孔を形成すると共に、該孔を上記嵌合隆で閉塞可能に形成すると良い。
この場合、容器本体に保持されたスプールをスプールホルダに装着する際、スプールホルダの突出部を孔に逃がすことで取り扱いが容易になり、汎用性が向上するため好ましい。また、容器本体と蓋体を相互に嵌合した際は前記孔を嵌合隆で閉塞して、埃，塵等の侵入を防止することができる。
【００１６】
上記孔を上記嵌合隆で閉塞可能に形成するための具体例としては、容器本体と蓋体を相互に嵌合した際に、嵌合隆の突端が上記孔に嵌合するよう嵌合隆を形成する。この場合、嵌合隆突端の蓋体開口縁からの突出量が比較的大きくなるので、嵌合隆による前述のガイド機能の向上が期待できる。
【００１７】
【発明の実施の形態】
以下、本発明の実施の形態の一例を図面を参照して説明する。
本例のボンディングワイヤ用スプールケースは図２に示すように、ボンディングワイヤ１を巻き回したスプール２をケース本体ａの内部に収容したものであって、ケース本体ａは図１，図３に示すように、相互に嵌合する容器本体３と蓋体４からなる。
【００１８】
スプール２は、この種技術分野において通常用いられる構造のもので、ボンディングワイヤ１を巻き回すための筒状の胴部２ａと、該胴部２ａの両端開口縁に周設した左右のフランジ２ｂ，２ｂを備えている。
【００１９】
ケース本体ａは、相互に嵌合する容器本体３と蓋体４からなり、該容器本体３、蓋体４はプラスチック材等を使用して真空成形法等で成型するをもって弾性変形可能に一体成形され、容器本体３にボンディングワイヤ１を巻き回したスプール２を保持し、側方から蓋体４を被嵌状に被せるものである。
【００２０】
容器本体３は、その外周部分に蓋体４の開口縁４ａと嵌合する外周隆５を備え、この外周隆５で囲まれた中央部分には、ケース本体ａの外側へ突出する膨出状の把持部６を外周隆５と一体に連設する。
また容器本体３は、スプール２を着脱自在に保持するための係合部７を複数備えている。
【００２１】
係合部７は、上記外周隆５の頂面となる内側面５ａ、すなわち、容器本体３に保持されるスプール２の一方のフランジ２ｂの外側面２ｃと当接する内側面５ａに、上記フランジ２ｂの外周縁に沿って適宜間隔ごとに対応するよう複数設けられ、その先端部は前記フランジ２ｂの外周縁に弾性係合するよう略爪状又は略鉤状に形成し、各係合部７を前記一方のフランジ２ｂの外周縁に係合させるをもって、該フランジ２ｂを係脱自在に保持し、これにより、スプール２は片持ち状態で容器本体３に着脱自在に保持される。
【００２２】
夫々の係合部７は外周隆５の内側面５ａと一体に連設して、外周隆５と一体に各係合部７が弾性変形し、フランジ２ｂに対する係脱（すなわち、スプール２の着脱）を行えるよう形成する。
尚、本例では左右二つの係合部７をフランジ２ｂの外周縁の左右二箇所に対応するよう設けると共に、上記略爪状又は略鉤状部分を備えない係合部７’を、フランジ２ｂの外周縁の下端側に当接してフランジ２ｂを支承可能に設け、これら三つの係合部でフランジ２ｂを着脱自在に保持するようにしたが、係合部の数や形状、設ける位置等はこれに限定されず、スプール２を保持可能で且つその脱着が可能な適宜数を適所に設けることができる。
【００２３】
上記内側面５ａの裏面となる外周隆の外側面には、前記各係合部７に対応せしめてリブ８を一体に連設し、外周隆の外端縁５ｂを内側に弾性変形させた際、このリブ８を支点として各係合部７が開方向に弾性変形し、フランジ２ｂに対する係脱が容易になされるよう形成する。
【００２４】
外周隆５の内側面５ａには、スプールホルダ100 の突出部（例えば後述する掛止手段200 ）に対応する逃げ用凹部９を、前記係合部７の形成に支障がなく、且つ容器本体３に必要な強度，耐久性，弾性が維持される範囲で、適宜複数箇所に設ける。
これにより、容器本体３に保持されたスプール２をスプールホルダ100 に装着する際、掛止手段200 を凹部９に逃がすことで取り扱いが容易になり、汎用性が向上するため好ましい。
また、凹部９は広い方が好ましい。広い凹部であるほど、スプールホルダ100 の突出部（掛止手段200 ）の位置合わせが容易になり、スプールホルダ100 へのスプール２の装着がより容易になると共に、汎用性が更に向上する。また凹部９は、簡素な形状の方がごみの付着を防止し得、洗浄し易いため好ましい。
【００２５】
外周隆５の下面には平坦状の定置面１０ａを形成し、蓋体４の後述する定置面１０ｂと共に、ケース本体ａ内部に収容したスプール２をその中心軸がほぼ水平になる横向き状態で保持可能な定置手段を形成する。
【００２６】
上記把持部６は、外周隆５の内側面５ａの内端縁からケース本体ａ外方へ向けて筒状の面部を一体に連設してなり、容器本体３を取り扱う際の持ち手として機能し、係合部７の不用意な変形を防止する。すなわち、把持部６を設けない場合は外周隆５が把持部として機能するようになるが、この場合、不用意に外周隆５を変形させるに伴い係合部７が変形し、スプール２が脱落する虞れが無いとは言えない。そこで本例のように把持部６を設けることで、容器本体３を取り扱う際は把持部６を持ち手とすれば、係合部７の不用意な変形を防止できる。
把持部６の表面は梨地処理（滑り止め処理）を施すことで滑り止め部６’を形成し、その把持を確実ならしめる。
把持部６の内側の空間１１は、容器本体３に保持されたスプール２の胴部２ａ内側に対応させ、スプールホルダ100 の突出部（例えば後述する掛止手段200 ）などの逃げ部として機能させる。
また把持部６の膨出端部は閉塞せずに開口部１２とし、該開口部１２は、スプールホルダ100 の突出部（例えば後述する掛止手段200 ）に対応する逃げ用の孔とする。
【００２７】
尚、上記把持部６は突出基端側から先端側に向けて、その外径が漸次小径となる略円錐台形状に形成し、容器本体３同士を密接状に積み重ねることができるようにして、容器本体３の保管，運搬等の際のコストの低減を図るようにする。
【００２８】
蓋体４は、容器本体３の外周隆５に嵌合してスプール２を被嵌するもので、その深さはスプール２の長さとほぼ同じ位に形成して、その側面壁４ｂにスプール２の他方のフランジ２ｂが当接するようにする。
【００２９】
蓋体４の周壁は、上記外周隆５に嵌合可能な略半円筒状とすると共に、下面には平坦状の定置面１０ｂを形成して前述のごとく定置手段を形成する。
該定置手段は、スプール２を収容したケース本体ａを作業テーブル上や運搬ケース内等に置く際に、そのスプール２の中心軸がほぼ水平になる横向き状態でスプール２を保持可能とし、これにより、胴部２ａに巻き回されたワイヤ１には、ワイヤ１自身の荷重、取り扱いや運搬の際等の振動，衝撃等がワイヤ１全長にわたってほぼ均等に分散される構造となり、ワイヤ１の巻き崩れを効果的に防止出来、さらにケース本体ａの転がり防止も図れる。
【００３０】
蓋体４の内部には、容器本体３に保持されたスプール２の胴部２ａ内側に緩嵌する膨出状の嵌合隆１３を設け、ケース本体ａにおいてはスプール２を、容器本体３に片持ち状に保持すると同時に、嵌合隆１３により蓋体４に保持して、スプール２の保持をより確実ならしめる。
また、嵌合隆１３の突端部分は蓋体４の開口縁４ａより突出させ、容器本体３と蓋体４を相互に嵌合する際に、容器本体３に保持されたスプール２に巻き回されたボンディングワイヤ１が蓋体４の開口縁４ａに触れることのないよう、嵌合隆１３がガイドとなってスプール２を蓋体４中心方向へ導く。
【００３１】
また嵌合隆１３は、蓋体開口縁４ａから突出する部分が把持部６の内側空間１１に遊挿され、且つその突端１３ａは把持部６端部の開口部１２に嵌合して該開口部１２を閉塞可能に形成する。
さらに嵌合隆１３は、基端側から先端側に向けてその外径が漸次小径となる略円錐台形状に形成し、蓋体４同士を密接状に積み重ねることができるようにして、蓋体４の保管，運搬等の際のコストの低減を図るようにする。
【００３２】
スプール２の胴部２ａに巻き回されたワイヤ１は、その巻き終り端部を一方のフランジ２ｂにテープ止めされるが、本例では容器本体３の外周隆５に、このテープ止め端部１ａを露呈させる凹部１４を設けてある。
凹部１４は、上記定置手段となる定置面１０ａに対向させて外周隆５の上面側に設け、テープ止め端部１ａが該凹部１４の開口範囲内に位置するようスプール２を容器本体３に保持して露呈させることで、容器本体３に保持したスプール２のテープ止め端部１ａを、ピンセット等の道具を用いて剥がすことができる。
また、テープ止め端部１ａは容器本体３の上側に露呈するので、前記したテープ剥がし作業が右勝手、左勝手の双方に対応可能となる。
【００３３】
図中１５は嵌合隆１３に嵌合したスプール２のフランジ２ｂの外側面２ｃに当接するべく、蓋体４の側面壁４ｂに凹設された押圧部、１６は同スプール２の胴部２ａ内周に当接するべく、嵌合隆１３の外周に突設された押圧部で、これら押圧部１５，１６はスプール２のガタ付き防止に寄与する。
【００３４】
ところで、この種スプールケースのケース本体ａは、使用後に回収され、検査、洗浄、乾燥作業を経て繰り返し使用されるが、本例では上述した容器本体３、蓋体４における隅部になる箇所、例えば逃げ用凹部９、凹部１４、押圧部１５，１６等の凹み部位の角隅部や、外周隆５における内側面５ａと把持部６との連設角部等を全て１Ｒ以上の湾曲面として、洗浄後の乾燥工程における水切りが迅速且つ確実になされるよう考慮している。
【００３５】
さらに本例では、ケース本体ａの適所に、内部に収容されたスプール２を取り出す際の順序を表示している。
すなわち、容器本体３における把持部６と、蓋体４の各外端部位には、相互に嵌合する容器本体３と蓋体４を分離させることを認識させるための外向きの矢印１７，１８を記し、さらに外周隆５の係合部７近傍には、外端縁５ｂを内側に弾性変形させて係合部７を変形させスプール２の取り外しを行うための押圧箇所を認識させる三角形の記号１９を記す。また、前記矢印１７，１８と記号１９には、操作順序を表示する数字２０，２１，２２を記す。
【００３６】
以上のように構成した本例のスプールケースは、ボンディングワイヤ１を巻き回したスプール２の一方のフランジ２ｂの外周縁に、容器本体３における外周隆５の内側面５ａの各係合部７を弾性係合せしめて、容器本体３にスプール２を保持させ、該スプール２の胴部２ａに嵌合隆１３を差し込みながら容器本体３と蓋体４を嵌合させて、ケース本体ａの内部に前記スプール２を収容することができる。
そうして、定置面１０ａ，１０ｂが下側になるようにケース本体ａを取り扱うことで、収容されたスプール２をその中心軸がほぼ水平になるように保持して巻き回されたボンディングワイヤ１の巻き崩れ防止を図る。
また容器本体３と蓋体４を分離させてケース本体ａを開いた後は、スプール２が保持された容器本体３を取り扱うをもって、スプール２に直接手を触れることなく該スプール２の着脱を行うことができる。
【００３７】
すなわち、スプール２の保持は各係合部７の弾性係合力により維持され、それら係合部７を弾性変形させてフランジ２ｂから外さない限り解除されない。また該保持状態は、各係合部７をフランジ２ｂ外周縁に係合させて保持するもので、スプール胴部２ａに巻き回したワイヤ１や胴部２ａ内側に対する干渉が生じない。
【００３８】
例えば、スプールホルダ100 へスプール２を装着する場合は、把持部６を持って容器本体３をホルダ100 に被せるようにして、該ホルダ100 にスプール２を外装し、次いで外周隆５の外端縁５ｂを内側に変形させれば、各係合部７を一体に弾性変形してフランジ２ｂとの係合が外れ、しかる後容器本体３のみを外せば、スプール２はホルダ100 に装着される（図６参照）。
またその際、ホルダ100 に付設されたスプール掛止手段200 を凹部９，空間１１，開口部１２等に逃がすことができ、該掛止手段200 がスプール装着作業の邪魔になることはない。
ホルダ100 からスプール２を外すときは、上記の作業を逆から行ってスプール２を容器本体３に保持させれば良い。
【００３９】
以上、本発明の実施の形態の一例を説明したが、本発明はこれに限定されず、本願の特許請求範囲に記載された技術的思想の範囲内であれば、他の異なる実施形態とすることも可能であり、特に、本願出願人による先提案のスプールケース（特願平９−２１４７８３号、特願平９−３４２８４３号、特願平１０−１１１０７号等）に開示された構成との組み合わせを図ることは、本願と先提案の構成との相乗効果が期待できるので好ましい。
【００４０】
例えば図７は、上記した定置面１０ａ，１０ｂを形成せずにケース本体ａの下端面を傾斜面とする一方、同下端面には、中心軸が水平になるようにスプール２を保持するための脚部２３を設けて、上記定置手段を形成している。
さらにこの脚部２３を折り畳み自在に形成すれば、容器本体３，蓋体４同士を密接状に積み重ねることができるので好ましい。
【００４１】
さらに容器本体、蓋体の何れか一方又は双方を透明体とすれば、スプール２に巻かれたワイヤ１の種別，規格等を確認できるため好ましい。
【００４２】
尚、図示の都合上、ボンディングワイヤ１は実際より大径で、且つスプール２に対し単層状に巻き付けるよう示したが、該ワイヤ１は直径１ｍｍ以下の細線であってスプール２に多層状に巻回され、且つ係合部７の先端部は、該多層状に巻回されるワイヤ１の表層部分に接触しない程度の寸法をもって形成することはいうまでもない。
【００４３】
【発明の効果】
本発明のスプールケースは以上説明したように、容器本体に設けた係合部をフランジ外周縁に係合させることで、該容器本体にスプールを保持させることができる。
従って、ワイヤ表面に手が触れてしまうことによりワイヤ損傷等が生じることなくスプールを取り扱えると共に、スプールホルダの長短やスプール掛止手段の存在等に左右されずに各種ボンダへの対応が可能な汎用性を備える。
また、係合部によりフランジ保持状態が維持されるので、万が一作業者が手を緩めたとしても、スプール脱落の虞れのない信頼性の高い取り扱い作業を実現できる。
さらに、定置手段によりスプールが水平に保持されるようにしてワイヤの巻き崩れ防止を図り、さらにワイヤのテープ止め端部を、容器本体の外周隆に設けた凹部の開口範囲内に位置せしめて露呈させることで、スプールを容器本体に保持させた状態でピンセット等の道具を用いて前記テープ止め端部のテープを剥がすことができる等、多くの効果を奏する。
【００４４】
上記凹部をケース本体の上面側に設けた場合、テープ止め端部が容器本体の上側に露呈するので、テープ剥がし作業が右勝手、左勝手の双方に対応可能となる。
【００４５】
上記外周隆の内側面に、スプールホルダの突出部に対応する逃げ用凹部を設けた場合、容器本体に保持されたスプールをスプールホルダに装着する際の取り扱いが容易になると共に、汎用性が向上する等の利点がある。
【００４６】
上記容器本体に把持部を形成し、容器本体の取り扱いは把持部を把持して行う場合、係合部の不用意な変形を防止して、スプールの脱落防止をより確実になすことができる。
また把持部表面に滑り止め部を形成した場合、その把持を確実ならしめることができる。
【００４７】
また、蓋体にはスプールの胴部内側に緩嵌する膨出状の嵌合隆を設け、該嵌合隆の突端部分を蓋体の開口縁より突出させた場合、ケース本体内のスプールの保持は、上記係合部と嵌合隆とで、より確実になされる。
上記嵌合隆の突端を蓋体の開口縁より突出させた場合、巻き回されたボンディングワイヤが蓋体の開口縁に触れることのないよう、嵌合隆がガイドとなってスプールを蓋体中心方向へ導くという利点がある。
【００４８】
上記容器本体における外周隆で囲まれた部分に、スプールホルダの突出部に対応する逃げ用の孔を形成し、該孔を上記嵌合隆で閉塞可能に形成した場合、スプールホルダへのスプール装着に際し、ホルダの突出部を孔に逃がすことで取り扱いが容易になると共に、汎用性が向上する利点があり、また容器本体と蓋体を相互に嵌合した際は前記孔を嵌合隆で閉塞して、埃，塵等の侵入を防止することができる等の効果がある。
【図面の簡単な説明】
【図１】本発明の実施の形態の一例を示すケース本体の分解斜視図。
【図２】本発明の実施の形態の一例を示す一部切欠正面図。
【図３】本発明の実施の形態の一例を示すケース本体の分解断面図。
【図４】容器本体の一部切欠側面図。
【図５】蓋体の一部切欠側面図。
【図６】使用状態を示す断面図。
【図７】本発明の実施の形態の他例を示す正面図。
【符号の説明】
ａ：ケース本体
１：ボンディングワイヤ
２：スプール
２ａ：胴部
２ｂ：フランジ
３：容器本体
４：蓋体
５：外周隆
６：把持部
６’：滑り止め部
７：係合部
９：逃げ用凹部
１０ａ，１０ｂ：定置面（定置手段）
１２：開口部（逃げ用の孔）
１３：嵌合隆
【図１】
0003794601.tif 000002
【図２】
0003794601.tif 000003
【図３】
0003794601.tif 000004
【図４】
0003794601.tif 000005
【図５】
0003794601.tif 000006
【図６】
0003794601.tif 000007
【図７】
0003794601.tif 000008